(57)【特許請求の範囲】
【請求項１】
製品を収容するカートンであって、
前記カートンの内側の周囲に少なくとも部分的に延びる複数のパネルであって、第１の端部パネルと、第１のサイドパネルと、第２の端部パネルと、第２のサイドパネルとを含む、複数のパネルと、
前記複数のパネルのそれぞれのパネルにそれぞれ折り曲げ可能に接続されている少なくとも１つの端部フラップであって、前記カートンの閉端部を少なくとも部分的に形成する、少なくとも１つの端部フラップと、
前記カートンの前記内側から前記第１の端部パネル及び前記第２の端部パネルの一方におけるディスペンサー開口部を通して前記製品を取り出すことを実質的に阻止する閉口位置と、前記カートンの前記内側から前記ディスペンサー開口部を通して前記製品を取り出すことを可能にする開口位置との間で位置決め可能であるオープナーであって、前記少なくとも１つの端部フラップと、前記第１の端部パネル及び前記第２の端部パネルの前記一方の一部分とを含み、前記少なくとも１つの端部フラップは、前記第１の端部パネル及び前記第２の端部パネルの前記一方に折り曲げ可能に接続されている、オープナーと、を備え、
前記少なくとも１つの端部フラップは、前記第１の端部パネル及び前記第２の端部パネルの前記一方に隣接して摺動可能に位置決めされる主パネルを含み、前記主パネルは、前記オープナーの前記閉口位置に対応する下降位置と、前記オープナーの前記開口位置に対応する上昇位置との間で位置決め可能であり、
前記第１の端部パネル及び前記第２の端部パネルの前記一方の前記一部分は、前記少なくとも１つの端部フラップに折り曲げ可能に接続されているアクセスフラップであり、前記アクセスフラップは、前記第１の端部パネル及び前記第２の端部パネルの前記一方から分離可能であり、且つ前記主パネルとともに移動可能であり、
前記少なくとも１つの端部フラップは、前記主パネルに折り曲げ可能に接続されている第１のヒンジパネルと、前記第１のヒンジパネル及び前記アクセスフラップに折り曲げ可能に接続されている第２のヒンジパネルとを含む、カートン。
【請求項２】
前記少なくとも１つの端部フラップは、前記第１の端部パネル及び前記第２の端部パネルの前記一方に折り曲げ可能に接続されている第１の端部フラップと、前記第１のサイドパネル及び前記第２のサイドパネルの一方に折り曲げ可能に接続されている第２の端部フラップとを含む、請求項１に記載のカートン。
【請求項３】
前記オープナーは、前記第２の端部フラップに折り曲げ可能に接続されているヒンジフラップであって、前記第１のヒンジパネル及び前記第２のヒンジパネルの少なくとも一方に操作可能に接続されているヒンジフラップを含む、請求項２に記載のカートン。
【請求項４】
前記少なくとも１つの端部フラップは、前記第１のサイドパネル及び前記第２のサイドパネルの他方に折り曲げ可能に接続されている第３の端部フラップを更に含み、前記主パネルは、少なくとも１つの保持タブを有し、前記第３の端部フラップは、前記少なくとも１つの保持タブとの接触によって前記主パネルの上方移動を抑止する少なくとも１つの係止部分を有する、請求項３に記載のカートン。
【請求項５】
前記アクセスフラップは、引き裂き線において前記第１の端部パネル及び前記第２の端部パネルの前記一方から分離可能であるスライダーパネルに隣接し、前記主パネルに操作可能に取り付けられている、請求項１に記載のカートン。
【請求項６】
前記ディスペンサー開口部は、前記第１の端部パネル及び前記第２の端部パネルの前記一方において、前記引き裂き線によって少なくとも部分的に形成される開口部を少なくとも部分的に含む、請求項５に記載のカートン。
【請求項７】
前記アクセスフラップは、前記第１の端部パネル及び前記第２の端部パネルの前記一方における開口部に隣接し、前記ディスペンサー開口部は、前記第１の端部パネル及び前記第２の端部パネルの前記一方における前記開口部を少なくとも部分的に含む、請求項１に記載のカートン。
【請求項８】
前記カートンの内面上のライナーを更に備え、前記ディスペンサー開口部は、前記第１の端部パネル及び前記第２の端部パネルの前記一方における開口部と一致する前記ライナーの開口部を更に含む、請求項１に記載のカートン。
【請求項９】
製品を収容するカートンを形成するためのブランクであって、
第１の端部パネルと、第１のサイドパネルと、第２の端部パネルと、第２のサイドパネルとを含む、複数のパネルと、
前記複数のパネルのそれぞれのパネルにそれぞれ折り曲げ可能に接続されている少なくとも１つの端部フラップであって、前記ブランクから形成される前記カートンの閉端部を少なくとも部分的に形成する、少なくとも１つの端部フラップと、
前記ブランクから形成される前記カートンにおいてオープナーを形成する開口構成であって、前記オープナーは、前記第１の端部パネル及び前記第２の端部パネルの一方におけるディスペンサー開口部を通して前記カートンから前記製品を取り出すことを実質的に阻止する閉口位置と、前記ディスペンサー開口部を通して前記カートンの内側から前記製品を取り出すことを可能にする開口位置との間で位置決め可能である開口構成であって、前記少なくとも１つの端部フラップと、前記第１の端部パネル及び前記第２の端部パネルの前記一方の一部分とを含み、前記少なくとも１つの端部フラップは、前記第１の端部パネル及び前記第２の端部パネルの前記一方に折り曲げ可能に接続されている、開口構成と、を備え、
前記少なくとも１つの端部フラップは、前記第１の端部パネル及び前記第２の端部パネルの前記一方に隣接して摺動可能に位置決めされる主パネルを含み、前記主パネルは、前記オープナーの前記閉口位置に対応する下降位置と、前記オープナーの前記開口位置に対応する上昇位置との間で位置決め可能であり、
前記第１の端部パネル及び前記第２の端部パネルの前記一方の前記一部分は、前記少なくとも１つの端部フラップに折り曲げ可能に接続されているアクセスフラップであり、前記アクセスフラップは、前記第１の端部パネル及び前記第２の端部パネルの前記一方から分離可能であり、且つ前記主パネルとともに移動可能であり、
前記少なくとも１つの端部フラップは、前記主パネルに折り曲げ可能に接続されている第１のヒンジパネルと、前記第１のヒンジパネル及び前記アクセスフラップに折り曲げ可能に接続されている第２のヒンジパネルとを含む、ブランク。
【請求項１０】
前記少なくとも１つの端部フラップは、前記第１の端部パネル及び前記第２の端部パネルの前記一方に折り曲げ可能に接続されている第１の端部フラップと、前記第１のサイドパネル及び前記第２のサイドパネルの一方に折り曲げ可能に接続されている第２の端部フラップとを含み、前記開口構成は、前記第２の端部フラップに折り曲げ可能に接続されているヒンジフラップを含み、前記ヒンジフラップは、前記ブランクから形成される前記カートンにおいて前記第１のヒンジパネル及び前記第２のヒンジパネルの少なくとも一方に操作可能に接続される、請求項９に記載のブランク。
【請求項１１】
前記少なくとも１つの端部フラップは、前記第１のサイドパネル及び前記第２のサイドパネルの他方に折り曲げ可能に接続されている第３の端部フラップを更に備え、前記主パネルは、少なくとも１つの保持タブを有し、前記第３の端部フラップは、前記ブランクから形成される前記カートンにおいて前記少なくとも１つの保持タブとの接触によって前記主パネルの上方移動を抑止する少なくとも１つの係止部分を有する、請求項１０に記載のブランク。
【請求項１２】
前記アクセスフラップは、引き裂き線において前記第１の端部パネル及び前記第２の端部パネルの前記一方から分離可能であるスライダーパネルに隣接し、前記アクセスフラップは、前記ブランクから形成される前記カートンにおいて前記主パネルに取り付けられ、前記ディスペンサー開口部は、前記第１の端部パネル及び前記第２の端部パネルの前記一方に、前記引き裂き線によって少なくとも部分的に形成される開口部を少なくとも部分的に含む、請求項９に記載のブランク。
【請求項１３】
前記アクセスフラップは、前記第１の端部パネル及び前記第２の端部パネルの前記一方における開口部に隣接し、前記ディスペンサー開口部は、前記第１の端部パネル及び前記第２の端部パネルの前記一方における前記開口部を少なくとも部分的に含む、請求項９に記載のブランク。
【請求項１４】
前記ブランクの内面上のライナーを更に備え、前記ライナーは、前記ライナーに開口部を形成する引き裂き線を含み、前記ディスペンサー開口部は、前記ブランクから形成される前記カートンにおいて前記第１の端部パネル及び前記第２の端部パネルの前記一方における開口部と一致する前記ライナーの前記開口部を含む、請求項９に記載のブランク。
【請求項１５】
製品を収容するカートンを形成する方法であって、
第１の端部パネルと、第１のサイドパネルと、第２の端部パネルと、第２のサイドパネルとを含む、複数のパネルと、前記複数のパネルのそれぞれのパネルにそれぞれ折り曲げ可能に接続されている少なくとも１つの端部フラップと、ブランクから形成される前記カートンにおいてオープナーを形成する開口構成であって、前記第１の端部パネル及び前記第２の端部パネルの一方におけるディスペンサー開口部を含む、開口構成とを備えるブランクであって、前記少なくとも１つの端部フラップは、前記第１の端部パネル及び前記第２の端部パネルの前記一方に隣接して摺動可能に位置決めされる主パネルを含み、前記主パネルは、前記オープナーの閉口位置に対応する下降位置と、前記オープナーの開口位置に対応する上昇位置との間で位置決め可能であり、前記第１の端部パネル及び前記第２の端部パネルの前記一方は、前記少なくとも１つの端部フラップに折り曲げ可能に接続されているアクセスフラップである一部分を有し、前記アクセスフラップは、前記第１の端部パネル及び前記第２の端部パネルの前記一方から分離可能であり、且つ前記主パネルとともに移動可能であり、前記少なくとも１つの端部フラップは、前記主パネルに折り曲げ可能に接続されている第１のヒンジパネルと、前記第１のヒンジパネル及び前記アクセスフラップに折り曲げ可能に接続されている第２のヒンジパネルとを含み、前記開口構成は、前記少なくとも１つの端部フラップと、前記第１の端部パネル及び前記第２の端部パネルの前記一方の前記一部分とを含み、前記少なくとも１つの端部フラップは、前記第１の端部パネル及び前記第２の端部パネルの前記一方に折り曲げ可能に接続されている、ブランクを得ることと、
前記複数のパネルによって少なくとも部分的に画定される、前記カートンの内側を形成することと、
前記内側の端部を少なくとも部分的に閉じると共に前記開口構成から前記オープナーを少なくとも部分的に形成するように、前記少なくとも１つの端部フラップを位置決めすること、を含み
前記オープナーは、前記第１の端部パネル及び前記第２の端部パネルの前記一方における前記ディスペンサー開口部を通して前記カートンから前記製品を取り出すことを実質的に阻止する前記閉口位置と、前記ディスペンサー開口部を通して前記カートンの前記内側から前記製品を取り出すことを可能にする前記開口位置との間で位置決め可能である、方法。
【請求項１６】
前記ブランクから形成される前記カートンにおいて、前記少なくとも１つの端部フラップは、前記第１の端部パネル及び前記第２の端部パネルの前記一方に折り曲げ可能に接続されている第１の端部フラップと、前記第１のサイドパネル及び前記第２のサイドパネルの一方に折り曲げ可能に接続されている第２の端部フラップとを含み、前記開口構成は、前記第２の端部フラップに折り曲げ可能に接続されているヒンジフラップを含み、前記オープナーを形成することは、前記第１のヒンジパネル及び前記第２のヒンジパネルの少なくとも一方に前記ヒンジフラップを操作可能に接続することを含む、請求項１５に記載の方法。
【請求項１７】
前記少なくとも１つの端部フラップは、前記第１のサイドパネル及び前記第２のサイドパネルの他方に折り曲げ可能に接続されている第３の端部フラップを更に含み、前記主パネルは、少なくとも１つの保持タブを有し、前記第３の端部フラップは、少なくとも１つの係止部分を有し、前記オープナーを形成することは、前記少なくとも１つの保持タブとの接触によって前記主パネルの上方移動を抑止するように前記係止部分を位置決めすることを含む、請求項１６に記載の方法。
【請求項１８】
前記アクセスフラップは、引き裂き線において前記第１の端部パネル及び前記第２の端部パネルの前記一方から分離可能であるスライダーパネルに隣接し、前記オープナーを形成することは、前記アクセスフラップを前記主パネルに取り付けることを含み、前記ディスペンサー開口部を形成することは、前記スライダーパネルを前記主パネルとともに移動させることによって、前記第１の端部パネル及び前記第２の端部パネルの前記一方に開口部を形成することを含む、請求項１５に記載の方法。
【請求項１９】
前記アクセスフラップは、前記第１の端部パネル及び前記第２の端部パネルの前記一方における開口部に隣接し、前記ディスペンサー開口部は、前記第１の端部パネル及び前記第２の端部パネルの前記一方における前記開口部を少なくとも部分的に含む、請求項１５に記載の方法。
【請求項２０】
ライナーを前記ブランクの内面に取り付けることを更に含み、前記ライナーは、前記ライナーの開口部を形成する引き裂き線を含み、前記ディスペンサー開口部は、前記第１の端部パネル及び前記第２の端部パネルの前記一方における開口部と一致する前記ライナーの前記開口部を含む、請求項１５に記載の方法。
【発明の詳細な説明】
【技術分野】
【０００１】
［関連出願の相互参照］
本願は、２０１１年１月２８日付けで出願された米国仮特許出願第６１／４６２，０９２号の利益を主張する。
【０００２】
［参照による援用］
２０１１年１月２８日付けで出願された米国仮特許出願第６１／４６２，０９２号は、その全体が本明細書に提示されているかのように全ての目的で引用することにより本明細書の一部をなすものとする。
【背景技術】
【０００３】
本開示は、包括的には、摺動可能なオープナーを有するカートンに関する。
【発明の概要】
【発明が解決しようとする課題】
【０００４】
本発明が解決しようとする課題は、摺動可能なオープナーを有し、製品を収容するカートンを提供することである。
【課題を解決するための手段】
【０００５】
概して、本開示の一態様は包括的には、製品を収容するカートンに関する。カートンは、カートンの内側の周囲に少なくとも部分的に延びる複数のパネルを備える。複数のパネルは、第１のサイドパネルと、第１の端部パネルと、第２のサイドパネルと、第２の端部パネルとを含む。オープナーが、第１の端部パネル及び第２の端部パネルの少なくとも一方にあり、開口位置と閉口位置との間で摺動可能に動くことができる。
【０００６】
別の態様では、本開示は包括的には、製品を収容するカートンに関する。該カートンは、該カートンの内側の周囲に少なくとも部分的に延びる複数のパネルを備える。前記複数のパネルは、第１の端部パネルと、第１のサイドパネルと、第２の端部パネルと、第２のサイドパネルとを含む。少なくとも１つの端部フラップが、前記複数のパネルのそれぞれのパネルにそれぞれ折り曲げ可能に接続されている。前記少なくとも１つの端部フラップは、該カートンの閉端部を少なくとも部分的に形成する。オープナーが、該カートンの前記内側から前記第１の端部パネル及び前記第２の端部パネルの一方におけるディスペンサー開口部を通して前記製品を取り出すことを実質的に阻止する閉口位置と、該カートンの前記内側から前記ディスペンサー開口部を通して前記製品を取り出すことを可能にする開口位置との間で位置決め可能である。
【０００７】
別の態様では、本開示は包括的には、製品を収容するカートンを形成するためのブランクに関する。該ブランクは、第１の端部パネルと、第１のサイドパネルと、第２の端部パネルと、第２のサイドパネルとを含む、複数のパネルを備える。少なくとも１つの端部フラップが、前記複数のパネルのそれぞれのパネルにそれぞれ折り曲げ可能に接続されている。前記少なくとも１つの端部フラップは、該ブランクから形成される前記カートンの閉端部を少なくとも部分的に形成するためのものである。開口構成が、該ブランクから形成される前記カートンにおいてオープナーを形成するためのものである。前記オープナーは、前記第１の端部パネル及び前記第２の端部パネルの一方におけるディスペンサー開口部を通してカートンから前記製品を取り出すことを実質的に阻止する閉口位置と、前記ディスペンサー開口部を通して前記カートンの前記内側から前記製品を取り出すことを可能にする開口位置との間で位置決め可能である。
【０００８】
別の態様では、本開示は包括的には、カートンを形成する方法に関する。該方法は、第１の端部パネルと、第１のサイドパネルと、第２の端部パネルと、第２のサイドパネルとを含む、複数のパネルと、該複数のパネルのそれぞれのパネルにそれぞれ折り曲げ可能に接続されている少なくとも１つの端部フラップと、前記ブランクから形成される前記カートンにおいてオープナーを形成する開口構成とを備えるブランクを得ることを含む。前記開口構成は、前記第１の端部パネル及び前記第２の端部パネルの一方におけるディスペンサー開口部を含む。該方法は、前記複数のパネルによって少なくとも部分的に画定される、前記カートンの内側を形成することと、前記内側の端部を少なくとも部分的に閉じると共に前記開口構成から前記オープナーを少なくとも部分的に形成するように、前記少なくとも１つの端部フラップを位置決めすることとを更に含む。前記オープナーは、前記第１の端部パネル及び前記第２の端部パネルの一方における前記ディスペンサー開口部を通してカートンから前記製品を取り出すことを実質的に阻止する閉口位置と、前記ディスペンサー開口部を通して前記カートンの前記内側から前記製品を取り出すことを可能にする開口位置との間で位置決め可能である。
【０００９】
当業者は、以下に挙げた図面を参照して実施形態の以下の詳細な説明を読むことによって、上記の利点、並びに種々の更なる実施形態の他の利点及び利益を理解するであろう。
【００１０】
慣例によれば、以下で説明する図面の種々の特徴は、必ずしも一定の縮尺比で描かれているとは限らない。図面における種々の特徴及び要素の寸法は、本開示の実施形態をより明確に示すために拡大又は縮小されている場合がある。
【図面の簡単な説明】
【００１１】
【図１】本開示の第１の実施形態のカートンを形成するためのブランクの外面の平面図である。
【図１Ａ】図１の拡大部分である。
【図２】カートンに部分的に形成されているとともにライナーが取付けられている、図１のブランクの外面の平面図である。
【図３】ブランクの内面及びライナーの平面図である。
【図４】部分的に形成された第１の実施形態のカートンの上面図である。
【図５】更に形成された第１の実施形態のカートンの上面図である。
【図６】更に形成された第１の実施形態のカートンの上面図である。
【図７】オープナーが閉口位置にある第１の実施形態のカートンの上面図である。
【図８−１１】閉口位置から開口位置に動かされるオープナーを示す種々の図である。
【図１２】再び閉じられている、すなわち閉口位置に戻されているオープナーを示す端面図である。
【図１３】本開示の第２の実施形態のカートンを形成するためのブランクの外面の平面図である。
【図１４】オープナーが閉口位置にある第２の実施形態のカートンの上面斜視図である。
【図１５−１７】閉口位置に動かされる第２の実施形態のカートンのオープナーを示す種々の図である。
【発明を実施するための形態】
【００１２】
対応する部分は、複数の図面を通して対応する参照符号によって示されている。
【００１３】
本開示は包括的には、流動性物品、すなわち流動性食品製品（例えば、シリアル）又は任意の他の流動性物品（例えば、粉末タイプのミックス、顆粒状物品、塩又は他の結晶系、洗剤等）のような製品を収容することができる、摺動可能なオープナーを有するカートンに関する。カートンは、カートン内側にライナーを備えることができる。このライナーは、カートン内の製品を保護及び収納するのに用いることができる。ライナーは、特定の製品を包装するのに適した組成の材料から作ることができ、その材料は、ＰＥＴ、ＬＤＰＥ、ＬＬＤＰＥ、ＨＤＰＥ、ＰＰ、ＰＳ、ＰＶＣ、ＥＶＯＨ、及びナイロン等のプラスチック等、又はそれらの任意の組み合わせを含むが、これらに限定はされない。代替的に、ライナーは省くことができる。
【００１４】
本開示の範囲を限定することを目的とせず、説明することを目的として、以下の詳細な説明では、カートンの実施形態の中に配置されるライナーについて説明する。しかしながら、ライナーは、本開示の範囲から逸脱することなく省くことができる。本明細書における１つ又は複数の実施形態において、「下側」、「底部」、「上側」及び「頂部」という用語は、完全に組み立てられて直立したカートンに関して決定される向きを示す。
【００１５】
図１は、本開示の第１の実施形態による、摺動可能なオープナー７を有するカートン５（図７に示されている）を形成するのに用いられるブランク３の第１の外側１の平面図である。一実施形態では、オープナー７は、第１の（閉口）位置（図７）と、分配可能な製品すなわち流動性物品（図示せず）をカートン５から分配することを可能にする第２の（開口）位置（図１０）との間で位置決め可能である。
【００１６】
ブランク３は、縦軸Ｌ１及び横軸Ｌ２を有する。ブランク３は、第１の横の折り線１５において第１の端部パネル１３に折り曲げ可能に接続されている第１のサイドパネル１１と、第２の横の折り線１９において第１の端部パネル１３に折り曲げ可能に接続されている第２のサイドパネル１７と、第３の横の折り線２３において第２のサイドパネル１７に折り曲げ可能に接続されている第２の端部パネル２１とを備える。図示の実施形態では、接着パネル２５が、第４の横の折り線２７において第２の端部パネル２１に折り曲げ可能に接続されている。
【００１７】
図１に示されているように、第１のサイドパネル１１は、第１の端部フラップ３１及び第２の端部フラップ３３に折り曲げ可能に接続されている。第１の端部パネル１３は、第１の端部フラップ３５及び第２の端部フラップ３７に折り曲げ可能に接続されている。第２のサイドパネル１７は、第１の端部フラップ３９及び第２の端部フラップ４１に折り曲げ可能に接続されている。第２の端部パネル２１は、第１の端部フラップ４３及び第２の端部フラップ４５に折り曲げ可能に接続されている。第１の端部フラップ３１、３５、３９、４３は、ブランク３の第１の辺縁エリアすなわち頂部辺縁エリアに沿って延びており、頂部端部フラップを形成する。頂部端部フラップ３１は、第１の縦方向に延びる折り線４９に沿って第１のサイドパネル１１に折り曲げ可能に接続されており、頂部端部フラップ３５は、第２の縦方向に延びる折り線５１に沿って第１の端部パネル１３に折り曲げ可能に接続されており、頂部端部フラップ３９は、第３の縦方向に延びる折り線５３に沿って第２のサイドパネル１７に折り曲げ可能に接続されており、頂部端部フラップ４３は、第３の縦方向に延びる折り線５３に沿って第２の端部パネル２１に折り曲げ可能に接続されている。底部端部フラップ３３、３７、４１、４５は、ブランク３の第２の辺縁エリアすなわち底部辺縁エリアに沿って延びており、第４の縦方向に延びる折り線５５に沿って折り曲げ可能に接続することができる。
【００１８】
一実施形態では、縦の折り線４９、５１、５３、５５は例えば、実質的に真っ直ぐであっても、ブランク厚又は他の因子を考慮して１つ又は複数の箇所においてずらされていてもよい。カートン５（図７）が組み立てられると、頂部端部フラップ３１、３５、３９、４３がカートン５の頂部端部５７を閉じ、底部端部フラップ３３、３７、４１、４５がカートン５の底部端部５９を閉じる。
【００１９】
一実施形態では、第１の端部パネル１３は縦の頂部縁６１を有する。図示の実施形態では、頂部縁６１は、折り線１５と端部フラップ３５との間に延びる第１の部分６３と、折り線１９と端部フラップ３５との間に延びる第２の部分６５とを含む。図示の実施形態では、端部フラップ３５は、頂部縁６１の第１の部分６３と第２の部分６５との間に延びる折り線５１において端部パネルに接続されている。
【００２０】
図１に示されているように、頂部端部フラップ３９は、横の折り線６９に沿って第２の（ベース）部分６７に折り曲げ可能に接続されているヒンジフラップ４７の形態の第１の部分を含む。ヒンジフラップ４７は、フラップ３９の一部分にわたって延びる一対の縦の引き裂き線７１によって少なくとも部分的に画定されている。引き裂き線７１は、本開示から逸脱することなく別様の形状、配置及び／又は構成にすることができるか又は他の弱化形態（例えば切れ目線）とすることができる。一実施形態では、ヒンジフラップ４７は概ね矩形であるが、本開示から逸脱することなく別様の形状、配置及び構成にすることができる。
【００２１】
図１に示されているように、頂部端部フラップ３１は、デボス部分７６の概ね両側に位置付けられている第１の係止突起７３及び第２の係止突起７５を含む。第１の係止突起７３及び第２の係止突起７５は、頂部フラップ３１の近位縁に位置付けられている。係止突起７３、７５は別様の形状、配置及び／又は構成にすることができる。デボス部分７６は、頂部端部フラップ３１の凹んだ又は窪んだ部分である。一実施形態では、デボス部分７６は、概ね矩形であるが、本開示から逸脱することなく別様の形状、配置、構成にすることができ、及び／又は省くことができる。
【００２２】
図１に示されているように、オープナー７は、頂部端部フラップ３５と、縦の折り線５１において端部フラップ３５に操作可能に接続されている端部パネル１３内のアクセスフラップ７７とを備える。一実施形態では、端部フラップ３５は、端部フラップ３５の自由（遠位）端部の主パネル８１と、主パネル８１に折り曲げ可能に接続されている第１のヒンジパネル８３と、第１のヒンジパネル８３に折り曲げ可能に接続されている第２のヒンジパネル８５とを含む。一実施形態では、主パネル８１は、第１の保持タブすなわち保持肩部８７と第２の保持タブすなわち保持肩部８９とを有する概ねＴ字状の構成を有する。図示の実施形態では、第１のヒンジパネル８３は、縦の折り線９１において主パネル８１に折り曲げ可能に接続されており、第２のヒンジパネル８５は、縦の折り線９３において第１のヒンジパネル８３に折り曲げ可能に接続されているとともに、縦の折り線５１においてアクセスフラップ７７に折り曲げ可能に接続されている。頂部端部フラップ３５は、本開示から逸脱することなく別様の形状、配置及び／又は構成にすることができる。
【００２３】
一実施形態では、アクセスフラップ７７が、縦の折り線５１において第２のヒンジパネル８５に折り曲げ可能に接続されている。図示の一実施形態では、アクセスフラップ７７は、引き裂き線９７によってスライダーパネル９５に取り外し可能に接続されている。主パネル８１、ヒンジパネル８３、８５、アクセスフラップ７７及びスライダーパネル９５は、組み立てられたカートン５（図７）において摺動可能なオープナー７を画定する。摺動可能なオープナー７は、本開示から逸脱することなく別様の形状、配置及び／又は構成にすることができる。
【００２４】
図示の実施形態では、スライダーパネル９５は、概ねＵ字状の弱化線９９によって画定されている。弱化線９９は、ブランク３における切れ目線、引き裂き線又は任意の他の弱化形態とすることができる。アクセスフラップ７７は、引き裂き線９７によって画定されている。図１Ａに示されているように、引き裂き線９７は、頂部縁６１のそれぞれの部分６３、６５から下方に延びる側方部分９６、９８と、該側方部分からアクセスフラップ７７の最下部分における合流点まで延びる２つの斜めの部分１００、１０２とを有する。引き裂き線９９は、引き裂き線９７のそれぞれの側方部分と斜めの部分との接合点から延びる概ねＵ字状である。本開示から逸脱することなく、引き裂き線９７、９９は、別様の形状、配置及び／又は構成にすることができ、また引き裂き線の一方若しくは双方は、他の弱化形態（例えば、切れ目線）、又は引き裂き線と切れ目線との組み合わせ（例えば、離間した切り込みを有する切れ目線）とすることができる。一実施形態では、アクセスフラップ７７は、アクセスフラップの最下部分において円弧状の折り線１０４によって画定されているエンボス部分１０１を有する。エンボス部分１０１は、アクセスフラップ７７の残りの部分の表面から突出しており、アクセスフラップの最下部分においてアクセスフラップを把持すること、及び端部パネル１３からアクセスフラップを分離することを容易にする。
【００２５】
組み立ての一つの例示的な方法によれば、カートン５は、接着パネル２５の外側が第１のサイドパネル１１の辺縁部分の内側に接触するように横の折り線１９、２７を中心にブランク３を折り曲げることによって組み立てることができる。ブランク３を次に、折り線１５、１９、２３、２７を中心に折り曲げて、概ね端部が開いたスリーブ１０８（図４）を形成する。端部が開いたスリーブ１０８を形成する前に、ライナーＬが例えば糊、接着剤又は他の手段によってブランク３に取り付けられている。図３は、取り付けられているライナーＬを示す、ブランク３の内面２の図である。ライナーＬは、ライナーＬの可撓性材に取り付けられる剛性材（例えば板紙）を含むことができる１つ又は複数の補強層又は補強セクションを有することができる。端部が開いたスリーブ１０８を形成するように、第１のサイドパネル１１を例えば糊、接着剤又は他の手段によって接着パネル２５に接着させることができる。
【００２６】
一実施形態では、部分的に組み立てられたカートン５の底部は、底部端部フラップ３７、４５を内側に折り曲げ、その後、底部端部フラップ３３及び底部端部フラップ４１を折り曲げることによって、閉じることができる。底部端部フラップ４１の内面を底部端部フラップ３３の外側に接着させることができる。底部端部フラップ３３、４１の一方又は双方の部分を、本開示から逸脱することなく底部端部フラップ３７、４５に接着させてもよい。カートン５の底部は、端部フラップ３３、３７、４１、４５を別様に位置決めすることによって閉じることができる。
【００２７】
分配可能な食品製品（図示せず）等の製品を、部分的に形成されたカートン５の内部スペース１１０に入れることができる。一実施形態では、食品製品をライナーＬの内側に入れることができ、ライナーＬを、例えば糊、接着剤又は他の手段によって、部分的に形成されたカートンの内面に固着させることができる。図３に示されているように、ライナーＬは、概ねＵ字状の引き裂き線１１１によって画定されているディスペンサーパネル１０９を備える。引き裂き線１１１は、カートン５の内側部分へのアクセスを容易にする切れ目線９９と概ね一致されている。ライナーＬは、本開示から逸脱することなくカートン５及びブランク３から省くことができる。
【００２８】
一実施形態では、部分的に形成されたカートン５の頂部１１２（図４〜図７）は、頂部端部フラップ３１、３９、４３を折り曲げて少なくとも部分的に重ね合わせ、摺動可能なオープナー７を形成することによって、閉じることができる。初めに、摺動可能なオープナー７は、主パネル８１及び第１のヒンジパネル８３を、折り線９３を中心にカートン５の内側へ向かって下方に折り曲げることによって構成される。主パネル８１を端部パネル１３と対面接触させ、糊１１７（図１Ａ）等の接着剤によってスライドパネル９５に接着固定させる。第１のヒンジパネル８３は、第２のヒンジパネル８５と対面接触し、糊１１９（図１Ａ）によって第２のヒンジパネル８５に接着固定させることができる。図２及び図４に示されているように、重ね合わせて接着したヒンジパネル８３、８５は、端部パネル２０の頂部縁６１から上方に延びる。
【００２９】
一実施形態では、頂部端部フラップ４３を内側に折り曲げ、頂部端部フラップ３１をフラップ４３の上面上に折り曲げる（図５）。図６に示されているように、重ね合わせたヒンジパネル８３、８５を、ヒンジパネル８３が頂部端部フラップ３１のデボス部分７６と対面接触するように、下方に折り曲げて頂部端部フラップ３１と対面接触させる。次に、頂部端部フラップ３９を、頂部端部フラップ３１及び重ね合わせたヒンジパネル８３、８５と対面接触するように下方に折り曲げる。頂部フラップ３９の内側を、フラップ３１の外側及び重ね合わせたヒンジパネル８３、８５に糊線１２３、１２５、１２７（図１）又は他の接着剤によって接着固定することができる。頂部端部フラップ３９内のヒンジフラップ４７は、重ね合わせたヒンジパネル８３、８５に糊線１２３（図１Ａ）によって接着接続される。糊以外の接着剤を本開示の範囲から逸脱することなく使用することができる。さらに、糊線は、線以外の他の形状とすることができるか、又は本開示から逸脱することなく別様に構成することができる。
【００３０】
図７〜図１３は、形状が実質的に平行六面体である組み立てられたカートン５において摺動可能なオープナー７を閉口位置（図７）から開口位置（図９〜図１１）に動かす種々の段階を示す。摺動可能なオープナー７は、閉口位置（図７及び図８）と、内部に保持されている食品製品をディスペンサー開口部１３１から分配することを可能にする開口位置（図９〜図１１）との間で摺動可能である。オープナー７を開口位置にするには、アクセスフラップ７７がスライダーパネル９５及び端部パネル１３に対する取り付けから自由になるように、エンボス部分１０１を把持してアクセスフラップを持ち上げることによって、最初にアクセスフラップ７７を引き裂き線９７において引き裂く。アクセスフラップ７７を、折り線５１を中心に上方に折り曲げて（図８）上方に引き、主パネル８１を開口位置（図９〜図１１）まで上方に摺動させる。スライダーパネル９５は、主パネル８１に取り付けられており、主パネルの摺動によって上下に移動する。主パネル８１は、保持タブ８７、８９が頂部端部フラップ３の係止部分７３、７５に当接するまで端部パネル１３の内側に沿って摺動する。主パネル８１を開口位置（図９）まで上方に移動させると、ヒンジパネル４７が頂部端部フラップ３９内の折り線６９において上方に枢動する。ディスペンサー７を初めに開口させる際、ライナーＬのディスペンサーパネル１０９を内側に押して、カートン５のディスペンサー開口部１３１（図１１）をつくる必要がある。オープナー７の開口位置においては、カートン５内に保持されている製品を、カートンからディスペンサー開口部１３１を通して分配又は注ぐことができる。製品は、例えば、分配可能な食料、又は、洗剤、粉末等のような分配可能な他の非食品製品を含むことができる。一実施形態では、端部パネルから分離され、主パネル８１に取り付けられ、また、オープナー７を開口位置に動かす際に主パネルとともに上昇するスライダーパネル９５の移動に起因する、端部パネル１３内の開口部によって、ディスペンサー開口部１３１が形成される。さらに、ライナーＬがカートン５の内側に設けられている場合、ディスペンサー開口部１３１は、ライナーフラップ１０９を内側に折り曲げることによって形成することができる。
【００３１】
製品を取り出した後、アクセスフラップ７７を把持し、次に、主パネル８１を下方に摺動させてディスペンサー開口部１３１を覆って閉口するようにアクセスフラップ７７を下方に引くことによって、オープナー７を再び閉じることができる（図１２）。アクセスフラップ７７及びヒンジパネル４７を下方に折り曲げ、閉口位置（図７）に戻すことができる。一実施形態では、スライダーパネル９５は、端部パネル１３内のＵ字状の分離線９９の箇所につくられている縁１３２に隣接するように位置決めされる。
【００３２】
一実施形態では、アクセスフラップ７７を折り線５１に沿って上方に折り曲げるように枢動させ、また、摺動可能なオープナー７の初めの開口シーケンスについて上記で概説した方法でディスペンサー開口部１３１が再び端部パネル１３内に作られるように、アクセスフラップ７７を上方に引いて主パネル８１を上昇させることによって、オープナー７を再び開くことができる。
【００３３】
オープナー７は、本明細書に記載されているステップ又は方法以外の種々の他のステップ又は方法によって、開くこと、再び閉じること及び再び開くことができる。さらに、本明細書に記載されているディスペンサーを開くステップ、再び閉じるステップ及び再び開くステップは、本開示から逸脱することなく改変、変更及び／又は省略することができる。
【００３４】
主パネル８１、ヒンジパネル８３、８５、アクセスフラップ７７及びスライダーパネル９５から形成される摺動可能なオープナー７により、低減した量の材料（例えば、板紙）からブランク３及びカートン５を作製することが可能になる。摺動可能なオープナー７は、本開示から逸脱することなく別様の形状、配置及び／又は構成にすることができる。また、初めは引き裂き線によって端部パネル１３に固定されているアクセスフラップ７７が、引き裂き線９７において引き裂くことによって端部パネル１３から分離されていることによって、カートンが消費者によって受け取られるか又は購入される場合にカートン５に不正が行われた可能性があることを示す、タンパーエビデント（tamper evident）表示を提供する。さらに、カートン５に不正が行われた証拠は、上方に折り曲げられた位置にあるアクセスフラップ７７によって示すことができる。カートンは、本開示から逸脱することなく他の又は異なるタンパーエビデント構成を有することができる。
【００３５】
図１３は、摺動可能なオープナー２０７を有するカートン２０５（図１４）を形成するための第２の実施形態のブランク２０３を示す。図１３のブランク２０３は、第１の実施形態のブランク３と同様の構成を有し、類似又は同様の構成を示すのに類似又は同様の参照符号が用いられている。図示の実施形態では、端部パネル１３は、アクセスフラップ７７に隣接する開口部２１２を有する。開口部２１２は、湾曲縁２１４とアクセスフラップ７７の下側部分７７ｂとによって画定されている。アクセスフラップ７７の下側部分７７ｂは、開口部２１２内に延びている。第２の実施形態では、摺動可能なオープナー２０７は、スライダーパネル９５の代わりに開口部２１２を有していることを除いて、第１の実施形態の摺動可能なオープナー７と同様である。摺動可能なオープナー２０７は、本開示から逸脱することなく別様の形状、配置及び／又は構成にすることができる。
【００３６】
一実施形態では、第２の実施形態のカートン２０５は、第１の実施形態のカートン５を形成することについて上述したのと実質的に同様の方法で形成される。カートン２０５は第１の実施形態のライナーＬと同様のライナーＬを有することができるか、又は、ライナーＬは本開示から逸脱することなく省くことができる。カートン２０５は、本開示から逸脱することなく他の又は異なる形成ステップによって形成することができる。
【００３７】
図１４〜図１８は、第１の実施形態のカートン５について記載したステップと同様の、摺動可能なオープナー２０７を閉口位置（図１４）から開口位置（図１６及び図１７）に動かす種々の段階を示す。図１５に示されているように、アクセスフラップ７７の遠位部分７７ｂを把持して、アクセスフラップ７７を引き裂き線９７に沿って引き裂くことによって端部パネル１３から分離することによって、オープナーを作動させる（actuated）ことができる。図１６に示されているように、アクセスフラップ７７を更に持ち上げてオープナー２０７の主パネル８１を摺動させるとともに上昇させる。前述の実施形態の場合のように、アクセスフラップ７７は、オープナー２０７が開口位置に位置決めされる際にヒンジフラップ４７が上昇するようにヒンジパネル８３、８５によってヒンジフラップ４７に操作可能に接続される。主パネルが上昇すると、開口部１３１が露出して、物品をカートン２０５から取り出すことが可能になる。第２の実施形態では、ディスペンサー開口部１３１は、端部パネル１３内の開口部２１２と、ライナーＬがカートン２０５の内側に設けられている場合は、ライナーフラップ１０９を内側に折り曲げることによって形成される、ライナー内の開口部とによって形成される。
【００３８】
前述の実施形態の場合のように、オープナー２０７は閉口位置（図１４）に戻ることができ、その場合、主パネル８１は下方に摺動して、端部パネル１３内の開口部２１２を実質的に覆ってカートン２０５から物品が流れるのを阻止する。オープナー２０７は、本開示の範囲から逸脱することなく他の又は異なるステップによって開口位置と閉口位置との間で動くことができる。
【００３９】
本開示によるブランクは、例えば、コートされた板紙及び同様の材料から形成することができる。例えば、ブランクの内側及び／又は外側をクレーコートでコーティングすることができる。次に、クレーコート上に製品、広告、価格コード、及び他の情報又は画像を印刷してもよい。次に、ブランクに印刷されているあらゆる情報を保護するために、ブランクをワニスでコーティングすることができる。ブランクの片面又は両面を、例えば防湿層でコーティングすることもできる。上述の実施形態に応じて、ブランクは、通常の紙よりも重く硬質であるような厚さの板紙で作成してもよい。ブランクは、ボール紙、硬化紙等の他の材料、又はカートンが少なくとも概して本明細書で上述したように機能できるようにするのに適した特性を有する任意の他の材料で作成することもできる。ブランクは、選択されたパネル又はパネルセクションに１つ又は複数のシート状材料を積層又はコーティングすることもできる。
【００４０】
本開示の上述の実施形態によれば、折り線は、それに沿った折り曲げを容易にする、必ずしも直線状ではないが任意の実質的に線状の弱化形態とすることができる。本開示の範囲を狭めるためではないが、より詳細には、折り線は、所望の弱化線に沿って材料に圧潰部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの構成の種々の組み合わせを含む。
【００４１】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの構成の種々の組み合わせを含むことができる。より具体的な例としては、１つのタイプの引き裂き線は、引き裂き線を挟んで材料を通常は一時的に接続するために切り込み（例えば、多少ブリッジ状の材料の小片）が間に画成されるように隣接するスリットを僅かに離間させた、材料を完全に貫通する一連の離間したスリットの形態である。切り込みは、引き裂き時に引き裂き線に沿って破断される。切り込みは通常、引き裂き線において比較的僅かな割合を占めるものであり、代替的に、引き裂き線が連続した切れ目線であるように、切り込みを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができるであろう。
【００４２】
上記実施形態は、カートンの実施形態を組み立てる間に糊によって互いに接着される１つ又は複数のパネル、フラップ又は構成を有するものとして説明されることができる。「糊」という用語は、カートンパネルを適所に固定するのに一般的に用いられる全ての態様の接着剤を包含することが意図される。
【００４３】
本開示の前述の説明は、種々の実施形態を例示及び説明するものである。本開示の範囲から逸脱することなく、種々の変更を上記構成内でなし得るので、上記説明に含まれるか又は添付図面に示されている全ての事項が、限定的な意味ではなく例示として解釈されることが意図される。さらに、本開示の範囲は、特許請求の範囲の範囲内にある上述の実施形態の種々の変更形態、組み合わせ、変形形態等をカバーする。加えて、本開示は、本開示の選択された実施形態のみを示して説明しているが、本開示は、種々の他の組み合わせ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。さらに、各実施形態の特定の構成及び特徴を、選択的に入れ替えて、本開示の他の説明された実施形態及び説明されていない実施形態に適用することができる。
【図１】
0005859027.tif 000002
【図１Ａ】
0005859027.tif 000003
【図２】
0005859027.tif 000004
【図３】
0005859027.tif 000005
【図４】
0005859027.tif 000006
【図５】
0005859027.tif 000007
【図６】
0005859027.tif 000008
【図７】
0005859027.tif 000009
【図８】
0005859027.tif 000010
【図９】
0005859027.tif 000011
【図１０】
0005859027.tif 000012
【図１１】
0005859027.tif 000013
【図１２】
0005859027.tif 000014
【図１３】
0005859027.tif 000015
【図１４】
0005859027.tif 000016
【図１５】
0005859027.tif 000017
【図１６】
0005859027.tif 000018
【図１７】
0005859027.tif 000019